(57)【要約】      （修正有）【課題】重い物品を収納し格納しても十分な強度を有する一方、コンパクトに折り畳むことができるようにした物品棚を提供する。【解決手段】左右の脚１０Ａ、１０Ｂと、左右の棚構成部分２０Ａ、２０Ｂの内端が連結ピンによって平面状の使用姿勢と∧字状の折畳姿勢との間で回動可能に連結され、両端部が取付けピン６０によって脚に回転自在に連結された複数段の棚板２０と、天板３０と、棚板の連結ピンと一体構造をなすロックバー５０と、左右の傾斜レバー４１、傾斜レバーの上端が回転自在に取付けられたブラケット４３、棚板の荷重を他の棚板に分散させる起立レバー４２、ブラケットに取付けられストッパーが挿通可能な挿通穴を有するロック片４４、及び棚板を折畳姿勢に折り畳み可能となす操作レバー４５から構成されるロックレバー機構４０と、を備える。【選択図】図１
2019055078.tif 000002
【特許請求の範囲】
【請求項１】
レバー操作によって使用状態と折畳状態との間で変形させ得る物品棚であって、
左右の脚（１０Ａ  １０Ｂ）と、
各々が左右の棚構成部分（２０Ａ  ２０Ｂ）からなり、上記左右の脚（１０Ａ  １０Ｂ）の間に上下に間隔をあけて掛け渡され、左右の棚構成部分（２０Ａ  ２０Ｂ）の内端が前後方向に伸びる連結ピン（２０Ｃ）によって相互に平面状をなす使用姿勢と相互に∧字状をなす折畳姿勢との間で回動され得るように連結され、両端部が各々取付けピン（６０）によって上記左右の脚（１０Ａ  １０Ｂ）に回転自在に連結された複数段の棚板（２０）と、
左右の脚（１０Ａ  １０Ｂ）の上端に着脱可能に嵌め込まれて左右の脚（１０Ａ  １０Ｂ）の開きを規制する天板（３０）と、
上記複数段の各棚板（２０）の連結ピン（２０Ｃ）と一体構造をなすロックバー（５０）と、
下端が上記左右の脚（１０Ａ  １０Ｂ）に回転自在に連結され上記棚板（２０）の荷重を受ける左右の傾斜レバー（４１）、該左右の傾斜レバー（４１）の上端が回転自在に取付けられたブラケット（４３）、該ブラケット（４３）の挿通穴（４３Ａ）にスライド自在に挿通支持されストッパー（４２Ａ）を有し上記ロックバー（５０）の外端が回転可能に連結され上記複数段の棚板（２０）の荷重を受けて他の棚板（２０）に分散させる起立レバー（４２）、上記ブラケット（４３）に取付けられ上記ストッパー（４２Ａ）が挿通可能な挿通穴（４４Ａ）を有するロック片（４４）、及び該ロック片（４４）の挿通穴（４４Ａ）に上記ストッパー（４２Ａ）を挿通させた状態で下に変位操作することによって上記起立レバー（４２）のスライドを規制して複数段の棚板（２０）を使用姿勢にロックする一方、上方に変位操作することによって上記ストッパー（４２Ａ）を挿通穴（４４Ａ）から離脱させて上記起立レバー（４２）をスライド可能として複数段の棚板（２０）を折畳姿勢に折り畳み可能となすための操作レバー（４５）から構成されるロックレバー機構（４０）と、
を備えたことを特徴とする物品棚。
【請求項２】
上記脚が前後の支柱（１０Ａ  １０Ｂ）から構成されている請求項１記載の物品棚。
【発明の詳細な説明】
【技術分野】
【０００１】
本発明は物品棚に関し、特に重い物品を収納し格納しても十分な強度を有する一方、コンパクトに折り畳むことができるようにした棚に関する。
【背景技術】
【０００２】
例えば、店舗等で商品を陳列し、倉庫等で物品を収納し格納する場合には陳列棚や格納棚（以下、単に「物品棚」という）がよく利用されている。
【０００３】
この物品棚は工場で組みたてて車両の荷台に搭載して設置場所まで運ぼうとすると、嵩張って運搬が煩わしい。そこで、棚の構成部品を設置場所まで運び、構成部品をねじやピン等で相互に固定して棚を組立てることが行われるが（特許文献１）、組立て作業が非常に煩わしい。
【０００４】
他方、物品棚を折り畳み可能な構造とし、折り畳んで設置場所まで運搬し、設置場所で組立てるようにした構造が種々提案されている（特許文献２、特許文献３、特許文献４）。
【先行技術文献】
【特許文献】
【０００５】
【特許文献１】特開２０１１−２７１８４号公報
【特許文献２】特開２００４−４９７８８号公報
【特許文献３】特開２０１３−２５５６３１号公報
【特許文献４】実開昭６２−１４１３７１号公報
【発明の開示】
【発明が解決しようとする課題】
【０００６】
しかし、特許文献２〜４記載の物品棚では段ボール等を用いて組立てるようにしているので、重い物品を収納し格納すると強度的に十分ではなく、壊れるおそれがあった。
【０００７】
本発明はかかる問題点に鑑み、重い物品を収納し格納しても十分な強度を有する一方、コンパクトに折り畳むことができるようにした物品棚を提供することを課題とする。
【課題を解決するための手段】
【０００８】
そこで、本発明に係る物品棚は、レバー操作によって使用状態と折畳状態との間で変形させ得る物品棚であって、左右の脚と、各々が左右の棚構成部分からなり、上記左右の脚の間に上下に間隔をあけて掛け渡され、左右の棚構成部分の内端が前後方向に伸びる連結ピンによって相互に平面状をなす使用姿勢と相互に∧字状をなす折畳姿勢との間で回動され得るように連結され、両端部が各々取付けピンによって上記左右の脚に回転自在に連結された複数段の棚板と、左右の脚の上端に着脱可能に嵌め込まれて左右の脚の開きを規制する天板と、上記複数段の各棚板の連結ピンと一体構造をなすロックバーと、下端が上記左右の脚に回転自在に連結され上記棚板の荷重を受ける左右の傾斜レバー、該左右の傾斜レバーの上端が回転自在に取付けられたブラケット、該ブラケットの挿通穴にスライド自在に挿通支持されストッパーを有し上記ロックバーの外端が回転可能に連結され上記複数段の棚板の荷重を受けて他の棚板に分散させる起立レバー、上記ブラケットに取付けられ上記ストッパーが挿通可能な挿通穴を有するロック片、及び該ロック片の挿通穴に上記ストッパーを挿通させた状態で下に変位操作することによって上記起立レバーのスライドを規制して複数段の棚板を使用姿勢にロックする一方、上方に変位操作することによって上記ストッパーを挿通穴から離脱させて上記起立レバーをスライド可能として複数段の棚板を折畳姿勢に折り畳み可能となすための操作レバーから構成されるロックレバー機構と、を備えたことを特徴とする。
【０００９】
本発明の特徴の１つは複数段の棚板を中央で折り畳み可能とし、複数段の棚板に荷重を受けるロックレバー機構を設け、ロックレバー機構のレバー操作によって棚板を使用姿勢にロックし、ロックを解除して折畳姿勢に折り畳めるようにした点にある。
【００１０】
これにより、棚板の荷重をロックレバー機構の傾斜レバーによって脚に伝えるとともに起立レバーによって他の棚板に分散させることができるので、重い物品を棚板に収納し格納しても、段ボール等によって構成した物品棚に比較して十分な強度を保証することができる。
【００１１】
また、ロックレバー機構のレバー操作によって棚板のロックを解除すると、棚板を平坦な姿勢に折り畳むことができるので、天板を外すと、物品棚をコンパクトに折り畳むことができ、保管に大きなスペースを必要とせず、容易に輸送することができる一方、現場で簡単に組立てることができる。
【００１２】
左右の脚は板状の脚でもよく、左右の脚の各々を前後の支柱によって構成することもできる。また、棚板には金属板や強化プラスチック板を使用することができ、又平坦な板でもよいが、穴あき板（パンチング板）や金属製ネット板を採用することもできる。
【図面の簡単な説明】
【００１３】
【図１】本発明に係る物品棚の好ましい実施形態における使用姿勢を示す概略斜視図である。
【図２】折畳姿勢への変形途中の状態を示す概略斜視図である。
【図３】上記実施形態におけるロックレバー機構のロック解除時の状態（ａ）及びロック時の状態（ｂ）を示す図である。
【図４】第２の実施形態を示す概略斜視図である。
【発明を実施するための形態】
【００１４】
以下、本発明を図面に示す具体例に基づいて詳細に説明する。図１ないし図３は本発明に係る物品棚の好ましい実施形態を示す。図において、本例の物品棚は左右の脚、四段の棚板２０、天板３０、ロックレバー機構４０及びロックバー５０から構成されている。
【００１５】
左右の脚は各々金属製の前後の支柱１０Ａ、１０Ｂと支柱１０Ａ、１０Ｂの上端を連結するバー１０Ｃとからなり、四段の棚板２０は支柱１０Ａ、１０Ｂの間に上下に間隔をあけて掛け渡され、棚板２０は各々左右の棚構成部分２０Ａ、２０Ｂからなり、左右の棚構成部分２０Ａ、２０Ｂの内端は前後に伸びる連結ピン２０Ｃによって相互に平面状をなす使用姿勢Ａと相互に∧字状をなす折畳姿勢Ｂとの間で回動され得るように連結されている一方、左右の棚構成部分２０Ａ、２０Ｂの外端は取付けピン６０によって回転自在に取付けられている。
【００１６】
棚構成部分２０Ａ、２０Ｂは金属板（パンチング板やネット板でもよい）を用いて矩形状に製作され、周囲にはフランジが下方に折り曲げ形成され、又天板３０は金属板（パンチング板やネット板でもよい）を用いて矩形状に製作され、周囲にはフランジが下方に折り曲げ形成され、脚１０Ａ、１０Ｂの上端に着脱可能に外嵌されることによって脚１０Ａ、１０Ｂの上端の開きを規制するようになっている。
【００１７】
また、四段の棚板２０の連結ピン２０Ｃにはロックバー５０が一体的に形成され、各ロックバー５０は前方に突設されている。なお、連結ピン２０Ｃを外方に突出させることによってロックバー５０の機能を兼用させることもできる。
【００１８】
ロックレバー機構４０は左右の傾斜レバー４１、起立レバー４２、ブラケット４３、ロック片４４及び操作レバー４５から構成され、ブラケット４３は断面逆Ｕ字状をなし、ブラケット４３の頂面中央には挿通穴４３Ａが形成されている。
【００１９】
左右の傾斜レバー４１は上端が相互に接近するように傾斜され、その下端は取付けピン６０によって脚１０Ａ、１０Ｂに回転自在に連結される一方、傾斜レバー４１の上端はブラケット４３の両側部分に取付けピン４１Ａによって回転自在に連結されている。
【００２０】
また、ブラケット４３の挿通穴４３には起立レバー４２の上端部分がスライド可能に挿通され、起立レバー４２の上端部にはストッパー４２Ａが形成され、起立レバー４２には四段の棚板２０のロックバー５０の外端が回転可能に連結されている。
【００２１】
さらに、ブラケット４３には操作レバー４５が取付け軸４５Ａ回りに回転可能に取付けられ、操作レバー４５にはロック片４４が回転可能に取付けられ、ロック片４４にはストッパー４２Ａが挿通されて引っ掛けられる挿通穴４４Ａが形成されている。
【００２２】
物品棚を組立てる場合、ロックレバー機構４０の起立レバー４２をブラケット４３に対して上方にスライドさせて四段の各棚板２０を相互に水平となる使用姿勢Ａとなすとともに、ロック片４４を上方に回転させてその挿通穴４４Ａにストッパー４２Ａを挿通して引っ掛けた後、操作レバー４５を下方に回動操作すると、ロック片４４の動きが規制されるので、図３の（ｂ）に示されるように、ブラケット４３と起立レバー４２との相対変位を規制し、棚板１０を使用姿勢Ａにロックすると、図１に示されるように、物品棚を使用可能な状態に組立てることができる。
【００２３】
この状態では棚板２０の荷重は傾斜レバー４１によって脚１０に伝えることができるとともに、起立レバー４２によって四段の他の棚板２０に分散して伝えることができることとなり、棚板２０に重い物品を収納し格納しても破損することはなく、十分な強度を保証することができる。
【００２４】
また、物品棚を折り畳む場合には図３の（ｂ）に示される状態において、操作レバー４５を上方に回動操作すると、ロック片４４が動けるようになるので、図３の（ａ）に示されるように、ロック片４４を下方に回動させてストッパー４２Ａをロック片４４の挿通穴４４Ａから離脱させると、起立レバー４２がブラケット４３に対して自由にスライドできるようになり、四段の棚板２０を∧に折り畳むことができる。
【００２５】
この状態では天板３０を取り外すと、物品棚をコンパクトに折り畳むことができ、保管に大きなスペースを必要とせず、容易に輸送することができるとともに、前述のレバー操作によって物品棚を現場で簡単に組立てることができる。
【００２６】
図４は第２の実施形態を示し、図において図１と同一符号は同一又は相当部分を示す。本例では上から二段目と三段目の間にロックレバー機構４０を設けるようにしており、このようにロックレバー機構４０を設ける箇所は第１の実施形態に限定されるように上段に限定されるものではない。
【符号の説明】
【００２７】
１０Ａ  １０Ｂ      脚
２０    棚板
２０Ａ、２０Ｂ      棚構成部分
３０    天板
４０    ロックレバー機構
４１    傾斜レバー
４２    起立レバー
４３    ブラケット
４４    ロック片
４５    操作レバー
５０    ロックバー
【図１】
2019055078.tif 000003
【図２】
2019055078.tif 000004
【図３】
2019055078.tif 000005
【図４】
2019055078.tif 000006